(57)【特許請求の範囲】
【請求項１】
印刷装置に取り付けられる消耗品の認証を行う認証装置であって、
前記消耗品の内部に設けられたメモリに記憶された消耗品記憶情報に基づいて、前記印刷装置により生成された静的情報である第１照合情報と、前記消耗品記憶情報に基づいて生成され、前記メモリに記憶されている第２照合情報とを照合する第１照合部と、
前記消耗品のＩＤに基づいて前記印刷装置により生成された第３照合情報と、前記消耗品のＩＤに基づいて生成されて前記メモリに記憶されている第４照合情報とを照合する第２照合部と、
前記第１照合部において照合の結果が一致すると判定され、かつ、前記第２照合部において照合の結果が一致すると判定された場合に、前記消耗品を許可認証する認証部と、
を備えたことを特徴とする認証装置。
【請求項２】
請求項１に記載の認証装置であって、
前記第１照合情報は、前記メモリ内の複数のアドレスの読み出し順序を指定する読出パターンに従って読み出された前記消耗品記憶情報に基づいて生成されること
を特徴とする認証装置。
【請求項３】
請求項２に記載の認証装置であって、
前記メモリには、ページ毎のデータ列で構成された２次元マトリックスの前記アドレスに対応づけられて情報がメモリ記憶情報として記憶されており、
前記読出パターンは、前記ページ毎に前記データ列のいずれか１つの前記アドレスに対応する前記情報を読み出すように設定されたアドレス情報であること
を特徴とする認証装置。
【請求項４】
請求項２又は３に記載の認証装置であって、
前記読出パターンは、複数のページに跨って設定されたアドレス情報であること
を特徴とする認証装置。
【請求項５】
請求項２〜４のうちいずれか一項に記載の認証装置であって、
前記メモリには、さらに、前記読出パターンと、前記読出パターンを指定するための指定情報とが関連づけられてパターンテーブルとして記憶されており、
前記指定情報が設定されている場合に、前記パターンテーブルから前記設定された指定情報に対応する読出パターンが抽出され、前記抽出された読出パターンに応じて前記メモリから読み出された前記消耗品記憶情報に基づいて、前記第１照合情報が前記印刷装置により生成されること
を特徴とする認証装置。
【請求項６】
請求項１〜５のうちいずれか一項に記載の認証装置であって、
前記第１照合部および前記第２照合部のいずれか一方は、前記印刷装置に備えられており、他方は前記消耗品に備えられていること
を特徴とする認証装置。
【請求項７】
請求項１〜６のうちいずれか一項に記載の認証装置で使用される消耗品であって、
前記第１照合部によって、前記印刷装置により生成された静的情報である第１照合情報との照合に用いられる前記第２照合情報を記憶すると共に、
前記第２照合部によって、前記印刷装置により生成された前記第３照合情報との照合に用いられる前記第４照合情報を記憶する
前記メモリを有する消耗品。
【発明の詳細な説明】
【技術分野】
【０００１】
本発明は、適切な消耗品のみを許可認証することにより印刷品質の低下や装置故障を防止する認証装置および消耗品に関する。
【背景技術】
【０００２】
印刷装置ではその印刷方式によってインクカートリッジや孔版原紙など様々な消耗品が着脱可能に設けられている。
【０００３】
例えば、インクジェット印刷装置では、消耗品として色ごとにインクが貯留されたインクカートリッジが着脱可能に設けてられており、インクカートリッジからインクジェットヘッドへインクが供給され、インクジェットヘッドのノズルからインクを印刷用紙に向けて吐出して画像や文字などを印刷する。
【０００４】
このとき、不適切なインクカートリッジがインクジェット印刷装置に装着されて使用されると、例えば、インクが凝集し、凝集したインクがノズルを閉塞させ吐出不良が発生したり、用紙に着弾したインクがにじみ、画像のエッジ不良などが発生したりする。これらの不具合は印刷画像の品質低下の原因となっていた。また、インクが凝集すると装置内の各機器に過剰な負荷がかかり装置故障の原因となる場合もある。
【０００５】
そこで、特許文献１には、装着された消耗品と本体装置との間で情報を伝達し、消耗品に設置された消耗品情報（例えば、適合機種情報、マッチングパラメータの設定情報、製造年月日など）に基づいて、特性を照合する画像記録装置に関する技術が開示されている。
【先行技術文献】
【特許文献】
【０００６】
【特許文献１】特開２００１−１８５０７号公報
【発明の概要】
【発明が解決しようとする課題】
【０００７】
しかしながら、上述の特許文献１に記載の画像記録装置では、伝達した消耗品情報に基づいて特性を照合するので、照合の精度が低いという問題点があった。
【０００８】
照合の精度が低いと不適切な消耗品が装着されることがあり、これにより印刷画像品質の低下や印刷装置の故障の原因となる場合があった。
【０００９】
本発明は、上記課題に鑑みてなされたものであり、適切な消耗品のみを許可認証することにより印刷品質の低下や装置故障を防止する認証装置および消耗品を提供することを目的とする。
【課題を解決するための手段】
【００１０】
上記目的を達成するため、本発明に係る認証装置の第１の特徴は、内部にメモリを有し、印刷装置に取り付けられる消耗品の認証を行う認証装置であって、前記消耗品に記憶された消耗品記憶情報に基づいて、前記印刷装置により生成された静的情報である第１照合情報と、前記消耗品記憶情報に基づいて生成され、前記メモリに記憶されている第２照合情報とを照合する第１照合部と、前記印刷装置の取得情報に基づいて前記印刷装置により生成された第３照合情報と、前記消耗品の取得情報に基づいて生成されて前記メモリに記憶されている第４照合情報とを照合する第２照合部と、前記第１照合部において照合の結果が一致すると判定され、かつ、前記第２照合部において照合の結果が一致すると判定された場合に、前記消耗品を許可認証する認証部と、を備えたことにある。
なお、前記第１照合情報は、前記メモリ内のアドレスを指定する読出パターンに従って読み出された前記消耗品記憶情報に基づいて生成されるようにしてもよい。
【００１１】
ここで、消耗品記憶情報とは、消耗品に記憶された情報のことであり、例えば、位置情報やＩＤ、またはその組み合わせなどのことをいう。
【００１２】
また、印刷機の取得情報は、印刷機に対して外部から入力される情報や印刷機内部で生成されることにより取得する情報であり、製造時に取得されてもよいし、流通過程において取得されてもよいし、使用開始時に取得されてもよく、取得の時期は問わない。例えば、印刷機の取得情報は、接続された消耗品や時計その他入力装置など外部から入力されるＩＤ、仕向け情報（位置情報）、インク残量情報、時刻情報、またはその組み合わせや、印刷機が内蔵する時計などにより印刷機内部で取得した時刻情報や、印刷機が内蔵するＧＰＳ（Global Positioning System）機能などにより印刷機内部で取得した位置情報などが該当する。
【００１３】
また、消耗品の取得情報は消耗品に対して外部から入力される情報や消耗品内部で生成されることにより取得する情報であり、製造時に取得されてもよいし、流通過程において取得されてもよいし、使用開始時に取得されてもよく、取得の時期は問わない。例えば、取得情報は、接続された印刷装置や時計その他入力装置など外部から入力されるＩＤ、仕向け情報（位置情報）、インク残量情報、時刻情報、またはその組み合わせや、消耗品が内蔵する時計などにより消耗品内部で取得した時刻情報や、消耗品が内蔵するＧＰＳ（Global Positioning System）機能などにより消耗品内部で取得した位置情報などが該当する。
【００１４】
本発明に係る認証装置の第２の特徴は、前記メモリには、ページ毎のデータ列で構成された２次元マトリックスのアドレスに対応づけられて前記情報がメモリ記憶情報として記憶されており、前記読み出しパターンは、前記ページ毎に前記データ列のいずれか１つのアドレスに対応する前記情報を読み出すように設定されたアドレス情報であることにある。
【００１５】
本発明に係る認証装置の第３の特徴は、前記読み出しパターンは、複数のページに跨って設定されたアドレス情報であることにある。
【００１６】
本発明に係る認証装置の第４の特徴は、前記メモリには、さらに、前記読み出しパターンと、前記読み出しパターンを指定するための指定情報とが関連づけられてパターンテーブルとして記憶されており、前記第１の照合情報は、前記指定情報が設定されている場合に、前記パターンテーブルから前記設定された指定情報に対応する読み出しパターンが抽出され、前記抽出された読み出しパターンに応じて前記メモリ情報から読み出された前記消耗品記憶情報に基づいて前記印刷機により生成されることにある。
【００１７】
本発明に係る認証装置の第５の特徴は、前記第１照合手段および前記第２照合手段のいずれか一方は、前記印刷機に備えられており、他方は前記消耗品に備えられていることにある。
【発明の効果】
【００１８】
本発明に係る認証装置の第１の特徴によれば、認証手段が、第１照合手段と第２照合手段と照合の結果いずれも一致すると判定された場合に、消耗品を許可認証するので、１度の照合により許可認証する従来技術に比べて、認証の精度を上げることができる。
【００１９】
また、第１の照合情報は、メモリから、アドレスの読み出しパターンに対応する情報が消耗品記憶情報として読み出され、前記読み出された消耗品記憶情報に基づいて、前記印刷機により生成される。そのため、より強固なパスワードを設定でき認証の精度を上げることができる。これにより、不適切なインクカートリッジが使用されないように確実に識別することができるので、印刷品質の低下や装置故障を防止することができる。
【００２０】
本発明に係る認証装置の第２の特徴によれば、読み出しパターンは、ページ毎にデータ列のいずれか１つのアドレスに対応する情報を読み出すように設定されたアドレス情報であるので、より強固なパスワードを設定でき認証の精度を上げることができる。
【００２１】
本発明に係る認証装置の第３の特徴によれば、読み出しパターンは、複数のページに跨って設定されたアドレス情報であるので、より複雑なパスワードの設定が可能となり、より強固なパスワードを設定でき認証の精度を上げることができる。
【００２２】
本発明に係る認証装置の第４の特徴によれば、第１の照合情報は、指定情報が設定されている場合に、パターンテーブルから設定された指定情報に対応する読み出しパターンが抽出され、抽出された読み出しパターンに応じてメモリ情報から読み出された消耗品記憶情報に基づいて印刷機により生成されるので、予め、複数の読み出しパターンを記憶しておき、複数の読み出しパターンの中からいずれかを指定することができる。そのため、より認証の精度を上げることができる。これにより不適切なインクカートリッジが使用されないように確実に識別することができるので、印刷品質の低下や装置故障を防止することができる。
【００２３】
本発明に係る認証装置の第５の特徴によれば、第１照合手段および第２照合手段のいずれか一方は、印刷機に備えられており、他方は消耗品に備えられていることにあるので、第１照合手段および第２照合手段がいずれも印刷機に備えられている場合や、いずれも消耗品に備えられている場合と比較して、異なる場所で照合するので、より認証の精度を高めることができる。
【図面の簡単な説明】
【００２４】
【図１】本発明の実施例１に係る認証装置であるインクジェット印刷装置の構成を説明した図である。
【図２】本発明の実施例１に係るインクジェット印刷装置が備える本体装置とインクカートリッジの機能を説明した説明図である。
【図３】本発明の実施例１に係るインクジェット印刷装置における処理手順を示したフローチャートである。
【図４】本発明の実施例１に係るインクジェット印刷装置が備えるパスワード生成手段による認証シリアルの生成の手順を模試的に示した図である。
【図５】本発明の実施例２に係るインクジェット印刷装置が備えるメモリに記憶されたパターンテーブルの一例を示した図である。
【発明を実施するための形態】
【００２５】
以下、本発明の実施例に係る認証装置を、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２６】
＜実施例１＞
本発明の実施例１では、本体装置と本体装置に対して着脱可能に取り付けられた消耗品である色毎のインクカートリッジとを備えたインクジェット印刷装置に適用された認証装置を例に挙げて説明する。
【００２７】
＜インクジェット印刷装置の構成＞
図１は、本発明の実施例１に係る認証装置であるインクジェット印刷装置１の構成を説明した図である。
【００２８】
本発明の実施例１に係るインクジェット印刷装置１は、インクカートリッジと、インクカートリッジ以外の構成を有する本体装置とを備えており、図１では、本体装置にインクカートリッジが装着された状態のインクジェット印刷装置１を例に挙げて説明する。
【００２９】
図１に示すように、インクジェット印刷装置１は、Ｃ（シアン）、Ｍ（マゼンタ）、Ｙ（イエロー）、Ｋ（ブラック）のインクに対応するインクジェットヘッド１１０Ｃ，１１０Ｍ，１１０Ｙ，１１０Ｋを備えており、印刷用紙は、インクジェットヘッド１１０Ｃ，１１０Ｍ，１１０Ｙ，１１０Ｋの対向面に設けられた環状の搬送ベルト（図示しない）によって印刷条件により定められる速度で搬送されながら、インクジェットヘッド１１０Ｃ，１１０Ｍ，１１０Ｙ，１１０Ｋから吐出されたインクによりライン単位で印刷される。
【００３０】
各インクは着脱可能なインクカートリッジに設けられたインクボトルから供給されるようになっており、Ｃ（シアン）のインクを供給するインクボトル１５１Ｃ、Ｍ（マゼンタ）のインクを供給するインクボトル１５１Ｍ、Ｙ（イエロー）のインクを供給するインクボトル１５１Ｙ、Ｋ（ブラック）のインクを供給するインクボトル１５１Ｋが備えられている。なお、以下においてインク色にこだわらない場合にはインクボトル１５１で代表させて説明する。他の機能部についても同様である。
【００３１】
インクボトル１５１から供給されたインクは、樹脂、金属等のパイプにより形成されたインク循環経路を通って、インクジェットヘッド１１０の下流側に設けられた下流タンクに一旦溜められる。このため、インクジェット印刷装置１には、Ｃ（シアン）のインクを溜める下流タンク１２０Ｃ、Ｍ（マゼンタ）のインクを溜める下流タンク１２０Ｍ、Ｙ（イエロー）のインクを溜める下流タンク１２０Ｙ、Ｋ（ブラック）のインクを溜める下流タンク１２０Ｋが備えられている。
【００３２】
インクジェット印刷装置１には、ポンプ１７０Ｃ、ポンプ１７０Ｍ、ポンプ１７０Ｙ、ポンプ１７０Ｋおよび上流タンク１３０Ｃ、上流タンク１３０Ｍ、上流タンク１３０Ｙ、上流タンク１３０Ｋが備えられている。下流タンク１２０に溜められたインクは、ポンプによりインクジェットヘッド１１０の上流側に設けられた上流タンクに送られる。上流タンク１３０に送られたインクは、インクを吐出する多数のノズルが設けられているインクジェットヘッド１１０に送液される。
【００３３】
上流タンク１３０は共通空気室１７２と接続されている。共通空気室１７２には、ポンプ１７３および図示しない大気開放弁が備えられており、大気開放弁を全閉してポンプ１７３により上流タンク１３０に空気を送り込んだり、大気開放弁を全開して大気圧にしたりすることにより、上流タンク１３０内の空気の圧力を調整する。
【００３４】
インクジェットヘッド１１０で吐出されなかったインクは、下流タンク１２０に戻される。上流タンク１３０からインクジェットヘッド１１０を経由して下流タンク１２０へのインク帰還は、上流タンク１３０と下流タンク１２０との水頭差を利用している。
【００３５】
インクは印刷品質が保証される温度範囲が定められており、環境温度が低く、インク温度が印刷可能である下限温度を下回っているとインクを加熱する必要がある。一方、インクジェットヘッド１１０内に設けられたドライバやピエゾ素子は動作することにより発熱し、これらの発熱やインク振動のジュール熱により、高温時におけるインク温度上昇の影響等を抑制する必要がある。そこで、インク循環経路上に、温度調節器１６１が設けられており、温度調節器１６１により、インクは、加温又は冷却される。
【００３６】
このような構成を有するインクジェット印刷装置に不適切なインクカートリッジが装着されると、例えば、インクが凝集してしまい凝集したインクがインクジェットヘッド１１０のノズルを閉塞させ吐出不良を発生させたり、搬送された印刷用紙に着弾したインクがにじみ、画像のエッジ不良などが発生したりする。さらに、インク循環経路内でインクが凝集すると、ポンプ１７０などインク送液手段に過剰な負荷がかかり装置故障の原因になる場合もある。
【００３７】
そこで、本発明の実施例１に係るインクジェット印刷装置１は、印刷品質の低下や印刷装置の故障を防止するため、装着されたインクカートリッジが使用可能か否かの認証を行う。
【００３８】
図２は、本発明の実施例１に係るインクジェット印刷装置１が備える本体装置とインクカートリッジの機能を説明した説明図である。
【００３９】
図２に示すように、本発明の実施例１に係るインクジェット印刷装置１は、本体装置２と、本体装置２に装着されたインクカートリッジ１５０Ｋ，１５０Ｃ，１５０Ｍ，１５０Ｙとを備えており、インクカートリッジ１５０Ｋ，１５０Ｃ，１５０Ｍ，１５０Ｙがそれぞれ使用可能か否かの認証を行う。ここでは、インクカートリッジ１５０Ｋを例に挙げて説明するが、インクカートリッジ１５０Ｃ，１５０Ｍ，１５０Ｙも同一の構成を有している。
【００４０】
Ｋ（ブラック）のインクに対応するインクカートリッジ１５０Ｋは、それぞれインクボトル１５１Ｋと、非接触ＩＣ（符号１５２Ｋ）とを備えている。
【００４１】
非接触ＩＣ（符号１５２Ｋ）は、メモリ１５３ＫとＣＰＵ１５４Ｋとを有しており、本体装置２との間で無線によるデータ通信を行う。
【００４２】
メモリ１５３Ｋは、インクカートリッジ１５０Ｋを一意に識別するＩＤと、認証シリアル（消耗品記憶情報）に基づいて第１アルゴリズムを用いて生成されて記憶されている第１パスワードと、インクボトル１５１Ｋに貯留されたインクの属性データと、ＩＤ（取得情報）に基づいて第２アルゴリズムを用いて生成されて記憶されている第２パスワードと、ページ毎のデータ列で構成された２次元マトリックスのアドレスに対応づけられた数値データや文字データなどの情報であるメモリ記憶情報とが記憶されている。なお、インクの属性データには、インク色情報、インク溶媒種類情報、インク残量情報が含まれている。
【００４３】
ＣＰＵ１５４Ｋは、演算処理機能を有し、例えば、インクジェットヘッド１１０Ｃ，１１０Ｍ，１１０Ｙ，１１０Ｋから吐出されたインクの吐出量に基づいて、インク色毎にインクジェットボトル１５１Ｃ，１５１Ｍ，１５１Ｙ，１５１Ｋ内のインク残量を算出し、インク残量情報として、メモリ１５３Ｋに記憶させる。また、ＣＰＵ１５４Ｋは、第１照合手段１２、第２照合手段１３、パスワード生成手段１４、位置情報取得手段１５、または認証手段１６を実装することもできる。
【００４４】
Ｃ（シアン）、Ｍ（マゼンタ）、Ｙ（イエロー）のインクに対応するインクカートリッジ１５０Ｃ，１５０Ｍ，１５０Ｙも同様に、それぞれインクボトル１５１Ｃ，１５１Ｍ，１５１Ｙと、非接触ＩＣ（符号１５２Ｃ，１５２Ｍ，１５２Ｙ）とを備えており、本体装置２との間で無線によるデータ通信を行う。
【００４５】
本体装置２は、無線通信手段１１と、第１照合手段１２と、第２照合手段１３と、パスワード生成手段１４と、位置情報取得手段１５と、認証手段１６と、表示手段１７と、メモリ１８とを備えている。
【００４６】
無線通信手段１１は、非接触ＩＣ（符号１５２）との間で無線通信を確立し、非接触ＩＣ（符号１５２）から種々の情報を読み込み、読み込んだ情報を第１照合手段１２や、第２照合手段１３や、パスワード生成手段１４などに供給する。なお、無線通信手段１１と非接触ＩＣ（符号１５２）との間で無線通信を行う際、送信側は乱数を付加して送信し、受信側は付加された乱数を削除することにより情報を取り出す。これにより、通信する情報の傍受を防止することができる。
【００４７】
第１照合手段１２は、メモリ１５３Ｋのメモリ記憶情報から、アドレスの読み出しパターンに対応する情報が認証シリアル（消耗品記憶情報）として読み出され、読み出された認証シリアル（消耗品記憶情報）に基づいて、本体装置２のパスワード生成手段１４により生成された静的情報であるパスワード（第１の照合情報）と、認証シリアル（消耗品記憶情報）に基づいて生成され、メモリ１５３Ｋに記憶されている第１パスワード（第２の照合情報）とを照合する。ここで静的情報とは、照合や認証の度に変化しない固定的な情報のことである。この読み出しパターン１８２は、パスワード生成手段１４が内部に保持している。
【００４８】
第２照合手段１３は、インクカートリッジ１５０から本体装置２へ入力されたＩＤ（取得情報）に基づいて本体装置２のパスワード生成手段１４により生成されたパスワード（第３の照合情報）と、ＩＤ（取得情報）に基づいて生成されてメモリ１５３Ｋに記憶されている第２パスワード（第４の照合情報）とを照合する。
【００４９】
パスワード生成手段１４は、メモリ１５３Ｋのメモリ記憶情報から、アドレスの読み出しパターンに対応する情報を認証シリアル（消耗品記憶情報）として読み出し、読み出した認証シリアル（消耗品記憶情報）に基づいて、メモリ１８に記憶された第１アルゴリズムを用いてパスワード（第１の照合情報）を生成する。また、パスワード生成手段１４は、インクカートリッジ１５０から本体装置２へ入力されたＩＤ（取得情報）に基づいて、メモリ１８に記憶された第２アルゴリズムを用いてパスワード（第３の照合情報）を生成する。
【００５０】
位置情報取得手段１５は、メモリ１８に記憶された仕向け情報を本体装置２の位置情報として読み込む。
【００５１】
認証手段１６は、第１照合手段１２と第２照合手段１３と照合の結果いずれも一致すると判定された場合に、インクカートリッジ１５０を許可認証する。この認証許可により装着されたインクカートリッジ１５０は使用可能となる。
【００５２】
表示手段１７は、認証手段１６により認証が不許可の場合、装着されているインクカートリッジ１５０は使用することができない旨警告メッセージを表示する。
【００５３】
メモリ１８は、インクジェット印刷装置１が使用される地域を示す仕向け情報と、パスワード（第１の照合情報）を生成するためのプログラムである第１アルゴリズムと、パスワード（第３の照合情報）を生成するためのプログラムである第２アルゴリズムとを記憶している。
【００５４】
＜インクジェット印刷装置の作用＞
次に、本発明の実施例１に係るインクジェット印刷装置１の作用について説明する。
【００５５】
図３は、本発明の実施例１に係るインクジェット印刷装置１における処理手順を示したフローチャートである。
【００５６】
図３に示すように、本発明の実施例１に係るインクジェット印刷装置１は、電源オン、省電力モードからの復帰、または図示しないセンサーの検出結果に基づいて本体装置２にインクカートリッジ１５０が装着されたことを検出すると（ステップＳ１０１；“ＹＥＳ”）、本体装置２の無線通信手段１１が非接触ＩＣ（符号１５２Ｋ）との間で無線通信を確立し、非接触ＩＣ（符号１５２Ｋ）から第１パスワードを読み込む（ステップＳ１０３）。
【００５７】
次に、パスワード生成手段１４は、メモリ１５３Ｋのメモリ記憶情報から、アドレスの読み出しパターンに対応する情報を読み出すことにより認証シリアル（消耗品記憶情報）を生成する（ステップＳ１０５）。
【００５８】
図４は、パスワード生成手段１４による認証シリアルの生成の手順を模試的に示した図である。
【００５９】
図４に示すように、メモリ１５３Ｋには、メモリ記憶情報１８１が記憶されている。メモリ記憶情報１８１は、「Page0」〜「Page15」までのページに対して、それぞれ「１」バイト目〜「８」バイト目まで８バイト分のデータがデータ列として格納できるように構成された２次元マトリックスである。この２次元マトリックスのアドレスに対応づけられて数値データや文字データなどの情報が格納されている。例えば、アドレスが（4,5）には、ページが「Page4」、バイトが「５」に対応する情報として「４」が格納されている。
【００６０】
読み出しパターン１８２は、ページ毎にデータ列のいずれか１つのアドレスに対応する数値データや文字データなどの情報を読み出すように設定されたアドレス情報であり、複数のページに跨って設定されている。例えば、読み出しパターン１８２が、（０，１），（１，２），（２，３），（３，４），（４，５），（５，４），（６，３），（７，２）であるとする。このとき、パスワード生成手段１４は、メモリ記憶情報１８１の読み出しパターン１８２が指し示すアドレスに対応する情報として、「０」，「１」，「２」，「３」，「４」，「５」，「６」，「７」を読み出す。なお、図４では、太枠にて囲んでいる。
【００６１】
そして、パスワード生成手段１４は、読み出した「０」，「１」，「２」，「３」，「４」，「５」，「６」，「７」を認証シリアル（消耗品記憶情報）（＝０１２３４５６７）として生成する。
【００６２】
次に、パスワード生成手段１４は、生成した認証シリアルに基づいて、メモリ１８に記憶された第１アルゴリズムを用いてパスワード（第１の照合情報）を生成する（ステップＳ１０６）。
【００６３】
そして、第１照合手段１２は、無線通信手段１１により読み込まれた第１パスワード（第２の照合情報）と、ステップＳ１０６において生成されたパスワード（第１の照合情報）とが一致するか否かの照合を行う（ステップＳ１０７）。ここで、第１パスワードは、認証シリアルに基づいて第１アルゴリズムを用いて予め生成されて記憶されているので、インクカートリッジ１５０Ｋがインクジェット印刷装置１に適合する製品である場合には、第１パスワードと、ステップＳ１０６において生成されたパスワードとは一致することになる。
【００６４】
第１パスワードと、ステップＳ１０６において生成されたパスワードとが一致しない場合（ステップＳ１０７；ＮＯ）、インクカートリッジ１５０Ｋはインクジェット印刷装置１に適合する製品ではないことになるので、認証手段１６は、表示手段１７に装着されているインクカートリッジは使用することができない旨警告メッセージを表示させる（ステップＳ１０９）。
【００６５】
一方、第１パスワードと、ステップＳ１０６において生成されたパスワードとが一致する場合（ステップＳ１０７；ＹＥＳ）、装着されているインクカートリッジは適切なものである可能性がある。
【００６６】
そこで、本体装置２の無線通信手段１１が非接触ＩＣ（符号１５２Ｋ）との間で無線通信を確立し、非接触ＩＣ（符号１５２Ｋ）からＩＤと第２パスワードとを読み込む（ステップＳ１１１）。
【００６７】
パスワード生成手段１４は、ステップＳ１１１において読み込まれたＩＤに基づいて、メモリ１８に記憶された第２アルゴリズムを用いてパスワード（第３の照合情報）を生成する（ステップＳ１１５）。
【００６８】
そして、第２照合手段１３は、無線通信手段１１により読み込まれた第２パスワード（第４の照合情報）と、ステップＳ１１５において生成されたパスワード（第３の照合情報）とが一致するか否か照合する（ステップＳ１１７）。ここで、第２パスワードは、インクカートリッジのＩＤに基づいて第２アルゴリズムを用いて生成されて記憶されているので、インクカートリッジ１５０Ｋがインクジェット印刷装置１に適合する製品である場合には、第２パスワードと、ステップＳ１１５において生成されたパスワードとは一致することになる。
【００６９】
第２パスワードと、ステップＳ１１５において生成されたパスワードとが一致しない場合（ステップＳ１１７；ＮＯ）、インクカートリッジ１５０Ｋはインクジェット印刷装置１に適合する製品ではないことになるので、認証手段１６は、表示手段１７に装着されているインクカートリッジは使用することができない旨警告メッセージを表示させる（ステップＳ１０９）。
【００７０】
一方、第２パスワードと、ステップＳ１１５において生成されたパスワードとが一致する場合（ステップＳ１１７；ＹＥＳ）、認証手段１６は、装着されているインクカートリッジは適切なものであると判定し、装着されているインクカートリッジの使用を許可認証する（ステップＳ１１９）。
【００７１】
以上のように、本発明の実施例１に係るインクジェット印刷装置１によれば、第１照合手段１２と第２照合手段１３と照合の結果いずれも一致すると判定された場合に、認証手段１６が消耗品であるインクカートリッジ１５０を許可認証するので、認証の精度を上げることができる。
【００７２】
また、ステップＳ１０６において生成されたパスワード（第１の照合情報）は、メモリ１５３Ｋのメモリ記憶情報から、アドレスの読み出しパターンに対応する情報が認証シリアル（消耗品記憶情報）として読み出され、読み出された認証シリアル（消耗品記憶情報）に基づいて、パスワード生成手段１４により生成されるので、より強固なパスワードを設定でき認証の精度を上げることができる。これにより、不適切なインクカートリッジが使用されないように確実に識別することができるので、印刷品質の低下や装置故障を防止することができる。
【００７３】
なお、本発明の実施例１では、ステップＳ１１５において、パスワード生成手段１４が、ステップＳ１１１において読み込まれたＩＤに基づいて、メモリ１８に記憶された第２アルゴリズムを用いてパスワード（第３の照合情報）を生成したがこれに限らない。例えば、位置情報取得手段１５が、メモリ１８に記憶された仕向け情報を位置情報として読み込み、パスワード生成手段１４が、読み込まれた位置情報に基づいてメモリ１８に記憶された第２アルゴリズムを用いてパスワード（第３の照合情報）を生成するようにしてもよい。このとき、当然に、第２パスワード（第４の照合情報）は、仕向け情報（位置情報）に基づいて生成されて予めメモリ１５３Ｋに記憶されている。インクカートリッジ１５０Ｋとインクジェット印刷装置１とは同じ地域で使用されることが前提であるので、インクカートリッジ１５０Ｋがインクジェット印刷装置１に適合する製品である場合には、第２パスワードと、ステップＳ１１５において生成されたパスワードとは一致することになる。
【００７４】
なお、本発明の実施例１では、位置情報取得手段１５は、メモリ１８に記憶された仕向け情報を位置情報として取得したが、これに限らない。例えば、位置情報取得手段１５は、ＧＰＳ（Global Positioning System）機能を有し、ＧＰＳ機能により取得した位置座標が含まれる地域を仕向け情報として取得するようにしてもよい。
【００７５】
さらに、第１照合手段１２が、消耗品であるインクカートリッジ１５０Ｋに記憶されたＩＤに基づいて、本体装置２のパスワード生成手段１４により第１アルゴリズムを用いて生成された静的情報であるパスワード（第１の照合情報）と、ＩＤに基づいて第１アルゴリズムを用いて生成され、メモリ１５３Ｋに記憶されている第１パスワード（第２の照合情報）とを照合し、第２照合手段１３が、消耗品であるインクカートリッジ１５０Ｋに記憶されたＩＤに基づいて第２アルゴリズムを用いて本体装置２のパスワード生成手段１４により生成されたパスワード（第３の照合情報）と、ＩＤに基づいて第２アルゴリズムを用いて生成されてメモリ１５３Ｋに記憶されている第２パスワード（第４の照合情報）とを照合するようにしてもよい。
【００７６】
また、本発明の実施例１では、第１照合手段１２が、メモリ１５３Ｋのメモリ記憶情報から、アドレスの読み出しパターンに対応する情報が認証シリアル（消耗品記憶情報）として読み出され、読み出された認証シリアル（消耗品記憶情報）に基づいて、本体装置２のパスワード生成手段１４により生成された静的情報であるパスワード（第１の照合情報）と、認証シリアル（消耗品記憶情報）に基づいて生成され、メモリ１５３Ｋに記憶されている第１パスワード（第２の照合情報）とを照合し、一致した場合に、第２照合手段１３が、インクカートリッジ１５０から本体装置２へ入力されたＩＤ（取得情報）に基づいて本体装置２のパスワード生成手段１４により生成されたパスワード（第３の照合情報）と、ＩＤ（取得情報）に基づいて生成されてメモリ１５３Ｋに記憶されている第２パスワード（第４の照合情報）とを照合したが、これに限らず、第２照合手段１３が照合し、一致した場合に、第１照合手段１２が照合するようにしてもよい。すなわち、第１照合手段１２による照合と第２照合手段１３による照合とはいずれが先であってもよい。
【００７７】
さらに、第１照合手段１２が、ステップＳ１１１において読み込まれたＩＤおよび位置情報取得手段１５によりメモリ１８から位置情報として読み込まれた仕向け情報に基づいて本体装置２のパスワード生成手段１４により生成されたパスワード（第１の照合情報）と、ＩＤおよび仕向け情報（位置情報）に基づいて生成されてメモリ１５３Ｋに記憶されている第１パスワード（第２の照合情報）とを照合し、一致した場合に、第２照合手段１３が、メモリ１５３Ｋのメモリ記憶情報から、アドレスの読み出しパターンに対応する情報が認証シリアル（消耗品記憶情報）として読み出され、読み出された認証シリアル（消耗品記憶情報）に基づいて、本体装置２のパスワード生成手段１４により生成された静的情報であるパスワード（第３の照合情報）と、認証シリアル（消耗品記憶情報）に基づいて生成され、メモリ１５３Ｋに記憶されている第２パスワード（第４の照合情報）とを照合するようにしてもよい。
【００７８】
なお、本発明の実施例１では、本体装置２が、第１照合手段１２と、第２照合手段１３と、パスワード生成手段１４と、位置情報取得手段１５と、認証手段１６とを備え、本体装置２が各処理を実行したが、これに限らず、ＣＰＵ１５４に実装され、各処理を実行するようにしてもよい。
【００７９】
例えば、本体装置２が無線通信手段１１と、第１照合手段１２と、位置情報取得手段１５と、認証手段１６と、表示手段１７とを備え、ＣＰＵ１５４が第２照合手段１３を備えてもよい。
【００８０】
この場合、本体装置２の第１照合手段１２は、メモリ１５３Ｋのメモリ記憶情報から、アドレスの読み出しパターンに対応する情報が認証シリアル（消耗品記憶情報）として読み出され、読み出された認証シリアル（消耗品記憶情報）に基づいて、本体装置２のパスワード生成手段１４により生成された静的情報であるパスワード（第１の照合情報）と、認証シリアル（消耗品記憶情報）に基づいて生成され、メモリ１５３Ｋに記憶されている第１パスワード（第２の照合情報）とを照合する。
【００８１】
ＣＰＵ１５４の第２照合手段１３は、インクカートリッジ１５０から本体装置２へ入力されたＩＤ（取得情報）に基づいて本体装置２のパスワード生成手段１４により生成されたパスワード（第３の照合情報）と、ＩＤ（取得情報）に基づいて生成されてメモリ１５３Ｋに記憶されている第２パスワード（第４の照合情報）とを照合し、照合結果を本体装置２の認証手段１６に送信する。
【００８２】
このように、ＣＰＵ１５４において照合する場合、メモリ１５３Ｋが、インクカートリッジ１５０Ｋの外部から情報を読み取り可能な領域である読み取り可能領域と、インクカートリッジ１５０Ｋの外部から情報を読み取り不可な領域である読み取り不可領域とを備え、照合に用いられる情報（ここでは、第２パスワード）を読み取り不可領域に記憶させておくことで、より照合の精度を上げることができる。
【００８３】
具体的には、ＣＰＵ１５４の第２照合手段１３は、インクカートリッジ１５０から本体装置２へ入力されたＩＤ（取得情報）に基づいて本体装置２のパスワード生成手段１４により生成されたパスワード（第３の照合情報）と、インクカートリッジの位置情報に基づいて生成されてメモリ１５３Ｋの読み取り不可領域に記憶されている第２パスワード（第４の照合情報）とを照合し、照合結果を本体装置２の認証手段１６に送信する。
【００８４】
これにより、認証手段１６は、第１照合手段１２と第２照合手段１３と照合の結果いずれも一致すると判定された場合に、インクカートリッジ１５０を許可認証することができると共に、メモリ１５３Ｋの読み取り不可領域に記憶されている第２パスワード（第４の照合情報）は、インクカートリッジの外部から読み取られることがないので、より確実に使用不可のインクカートリッジを識別することができる。これにより、印刷品質の低下や装置故障を防止することができる。
【００８５】
また、第１照合手段１２が、メモリ１５３Ｋのメモリ記憶情報から、アドレスの読み出しパターンに対応する情報が認証シリアル（消耗品記憶情報）として読み出され、読み出された認証シリアル（消耗品記憶情報）および位置情報取得手段１５によりメモリ１８から位置情報として読み込まれた仕向け情報に基づいて、本体装置２のパスワード生成手段１４により第１アルゴリズムを用いて生成された静的情報であるパスワード（第１の照合情報）と、認証シリアル（消耗品記憶情報）および仕向け情報（位置情報）に基づいて生成され、メモリ１５３Ｋに記憶されている第１パスワード（第２の照合情報）とを照合し、第２照合手段１３が、アドレスの読み出しパターンに対応する情報が認証シリアル（消耗品記憶情報）として読み出され、読み出された認証シリアル（消耗品記憶情報）および位置情報取得手段１５によりメモリ１８から位置情報として読み込まれた仕向け情報（位置情報）に基づいて、本体装置２のパスワード生成手段１４により第２アルゴリズムを用いて生成された静的情報であるパスワード（第３の照合情報）と、認証シリアル（消耗品記憶情報）および仕向け情報（位置情報）に基づいて生成され、メモリ１５３Ｋに記憶されている第２パスワード（第４の照合情報）とを照合するようにしてもよい。
【００８６】
＜変形例１＞
本発明の変形例１では、パスワード生成手段１４は、メモリ１５３Ｋのメモリ記憶情報から、内部に保存しているアドレスの読み出しパターンに対応する情報を読み出すことにより認証シリアル（消耗品記憶情報）を生成したが、複数の読み出しパターンの中からいずれかを指定するようにしてもよい。
【００８７】
具体的には、メモリ１５３Ｋには、さらに、読み出しパターンと、読み出しパターンを指定するための指定情報とが関連づけられてパターンテーブルとして記憶されており、第１の照合手段１２は、指定情報が設定されている場合に、パターンテーブルから設定された指定情報に対応する読み出しパターンを抽出し、抽出したアドレスの読み出しパターンに応じた認証シリアル（消耗品記憶情報）を読み出す。
【００８８】
図５は、メモリ１５３Ｋに記憶されたパターンテーブルの一例を示した図である。
【００８９】
図５に示すように、メモリ１５３Ｋに記憶されたパターンテーブル１８３は、「Page0」〜「Page11」までのページに対して、それぞれ「１」バイト目〜「８」バイト目まで８バイト分のデータがデータ列として格納できるように構成された２次元マトリックスである。そして、この２次元マトリックスのアドレスに対応づけられて数値データや文字データなどの情報が格納されている。
【００９０】
パターンテーブル１８３では、ページが指定情報であり、このページが指定されることにより、読み出しパターンが決定される。例えば、指定情報が「Page10」である場合、読み出しパターンとして、「Page10」に対応づけられている「１」バイト目〜「８」バイト目まで８バイト分の情報として、「ａｂｃ０１２３４」を読み出しパターンとして抽出する。なお、指定情報はパスワード生成手段１４が内部に保持している。
【００９１】
この抽出された読み出しパターンは、それぞれメモリ記憶情報において読み出すアドレスを示している。例えば、「ａｂｃ０１２３４」の中の「ａ」は、アドレス（０，１）を示しており、「ｂ」はアドレス（１，２）を示している。
【００９２】
そのため、「ａｂｃ０１２３４」は、（０，１），（１，２），（２，３），（３，４），（４，５），（５，４），（６，３），（７，２）に示されるアドレスを読み出すことを示している。
【００９３】
そこで、パスワード生成手段１４は、読み出しパターンが指し示す図４に示したメモリ記憶情報１８１のアドレスに対応する情報として、「０」，「１」，「２」，「３」，「４」，「５」，「６」，「７」を読み出す。なお、図４では、太枠にて囲んでいる。
【００９４】
そして、パスワード生成手段１４は、読み出した「０」，「１」，「２」，「３」，「４」，「５」，「６」，「７」を認証シリアル（消耗品記憶情報）（＝０１２３４５６７）として生成する。
【００９５】
これにより、指定情報が設定されている場合に、パターンテーブルから設定された指定情報に対応する読み出しパターンを抽出し、抽出したアドレスの読み出しパターンに応じた認証シリアル（消耗品記憶情報）を読み出すので、予め、複数の読み出しパターンを記憶しておき、複数の読み出しパターンの中からいずれかを指定することができる。そのため、より認証の精度を上げることができる。これにより不適切なインクカートリッジが使用されないように確実に識別することができるので、印刷品質の低下や装置故障を防止することができる。
【００９６】
また、本発明の実施例１および変形例１，２では、消耗品であるインクカートリッジを備えたインクジェット印刷装置に認証装置が適用された例を挙げて説明したが、これに限らず、認証装置は孔版インクカートリッジや孔版マスターを消耗品とする孔版印刷装置や、トナーボトルを消耗品とする電子写真装置など、消耗品を備えた印刷装置であればどのような印刷方式の印刷装置でも適用することができる。
【符号の説明】
【００９７】
１…インクジェット印刷装置
２…本体装置
１１…無線通信手段
１２…第１照合手段
１３…第２照合手段
１４…パスワード生成手段
１５…位置情報取得手段
１６…認証手段
１７…表示手段
１８…メモリ
１１０Ｃ，１１０Ｍ，１１０Ｙ，１１０Ｋ…インクジェットヘッド
１２０Ｃ，１２０Ｍ，１２０Ｙ，１２０Ｋ…下流タンク
１３０Ｃ，１３０Ｍ，１３０Ｙ，１３０Ｋ…上流タンク
１５０Ｃ，１５０Ｍ，１５０Ｙ，１５０Ｋ…インクカートリッジ
１５１Ｃ，１５１Ｍ，１５１Ｙ，１５１Ｋ…インクボトル
１５２Ｃ，１５２Ｍ，１５２Ｙ，１５２Ｋ…非接触ＩＣ
１５３Ｃ，１５３Ｍ，１５３Ｙ，１５３Ｋ…メモリ
１５４Ｃ，１５４Ｍ，１５４Ｙ，１５４Ｋ…ＣＰＵ
【図１】
0006670067.tif 000002
【図２】
0006670067.tif 000003
【図３】
0006670067.tif 000004
【図４】
0006670067.tif 000005
【図５】
0006670067.tif 000006